(57)【要約】      （修正有）【課題】プッシュ式気圧二層容器の提供。【解決手段】プッシュ式気圧二層容器は、二層密閉容器とプッシュ吸式キャップ、瓶、缶体の相互配置により、プッシュ模式下で、瓶、缶体内部に増設された二層容器中の内容物を汲み取り、完全に排出する実用功能を達成する。主に、プッシュ吸式キャップは内縁壁上に螺部を有し、瓶、缶体と一体に螺合、或いは、結合し、且つ、内底縁で内螺部を延伸するか、或いは、チャンバヘッド素子の外縁に外螺部を有し、外層容器端螺部と螺合し、二層容器中の内容物を汲み取ることができる。気圧二層容器は二層構造であり、キャップを押して内容物を汲み取る時、二層容器は容器内部の真空状態である故、二層容器中の内層軟質容器が上移する現象を形成し、且つ、この現象は内容物が全て取り出されるまで続く。【選択図】図３
0003128967.tif 000002
【実用新案登録請求の範囲】
【請求項１】
プッシュ式気圧二層容器であって、主に、プッシュ吸式キャップ、二層容器、及び、瓶、缶体からなり、その特徴は、
前記プッシュ吸式キャップは内縁壁上に螺部を有し、前記瓶、缶体と一体に螺合、或いは、結合し、且つ、内底縁で内螺部を延伸するか、或いは、チャンバヘッド素子の外縁に外螺部を有し、前記外層容器端螺部と螺合し、
前記二層容器は軟質特性を有し、内層軟質容器と外層軟質容器からなり、前記外層軟質容器は、内螺部と前記プッシュ吸式キャップ内縁から延伸した螺部、或いは、チャンバヘッド素子と螺合し、且つ、前記外層軟質容器は内部中段位置の内縁環面と前記内層軟質容器の開口環縁と相互に一体に粘合され、前記内層と前記外層軟質容器両者で、展開後に構成される最大空間内部は流体、乳状体、液体等の内容物を充填し、前記プッシュ吸式キャップは内容物をプッシュ汲み取りでき、
前記瓶、缶体と前記プッシュ吸式キャップは結合し、内部の中空体空間は二層容器を置き入れることを特徴とするプッシュ式気圧二層容器。
【請求項２】
前記二層容器中の外層軟質容器端は、外螺部を設け、前記プッシュ吸式キャップ内底縁から内螺部を延伸して螺合することを特徴とする請求項１に記載のプッシュ式気圧二層容器。
【請求項３】
前記二層容器中の内層軟質容器は、開口を呈し、封底の薄型袋体構造で、前記内層軟質容器は、前記外層軟質容器中段以下を覆い、内部収容空間を定義することを特徴とする請求項１に記載のプッシュ式気圧二層容器。
【請求項４】
前記二層容器中の外層軟質容器は、多様な外形により、瓶、缶体内部から趣味や広告効果を呈現することができることを特徴とする請求項１に記載のプッシュ式気圧二層容器。
【考案の詳細な説明】
【技術分野】
【０００１】
本考案はプッシュ式気圧二層容器に関し、詳細には、「二層容器」により、容器内部を安定した真空状態にし、安定、定量排出と抗酸化等のマルチ功能を有するプッシュ式気圧二層容器に関する。
【背景技術】
【０００２】
構造から分析すると、公知の瓶、缶体は特徴がなく、「プッシュ吸式ノズル」により内容物を汲み取るものがあるが、その理念は、名称の如く「押す」と「吸う」の排除である。よって、構造設計上、チャンバの設計は真空により吸力を形成し、抜く、吸う効果を達成しなければならない。この種の「プッシュ吸式ノズル」構造は、主に、図１で示されるように、プッシュ排出ノズル（Ａ１）、キャップ（Ａ２）、チャンバ素子（Ａ３）、塞体（Ａ４）、間隔排出定位素子（Ａ５）、弾性素子（Ａ６）、珠式バルブ（Ａ７）、の各素子からなる。
【０００３】
公知のノズル瓶、缶体の容器は、長期に渡る使用で以下のような欠点がある。
１．公知のプッシュ吸式ノズル瓶、缶は単一の容器であり、且つ、大部分は重い材料であり、ガラスや水晶などが使用されて、コストが高い。この種の高価な瓶、缶は、内容物を使用し終えると遺棄されるので、浪費でありコストの負担である。
２．公知の底塞素子（Ａ８）を配置するプッシュ吸式ノズル瓶、缶体は、底塞素子（Ａ８）と瓶、缶内縁壁は、高精密度を徹しなければならず、よって、製造、或いは、不良率、及び、装着コストが高く、業者と使用者双方の負担になる。
３．第二点で述べるように、底塞素子（Ａ８）のプッシュ吸式ノズル瓶、缶体は、底塞素子（Ａ８）が円形配置を採択しなければならず、瓶、缶体の形態が制限される。
４．公知のストローを設置するプッシュ吸式ノズル瓶、缶体は、瓶、缶体内の一定容量を排出した後、拝量空間は空気により補填されるので、特に、揮発性、或いは、空気と酸化しやすい内容物など、内容物と空気による酸化変質問題が生じる。
【考案の開示】
【考案が解決しようとする課題】
【０００４】
本考案の目的は、上述の問題を改善するようなプッシュ式気圧二層容器を提供することにある。
【課題を解決するための手段】
【０００５】
上述の目的を達成するため、本考案のプッシュ式気圧二層容器は、「二層容器」により、容器内部を安定した真空状態にし、安定、定量排出と隔絶等のマルチ功能を有する瓶、缶体容器である。
【考案の効果】
【０００６】
本考案により、外観形態の制限を排除する以外に、二層容器が交換でき充填できるという二大長所を達成し、使用寿命が増加する。また、二層容器の外層軟質容器は造型と外観が多変であり、瓶、缶体は直接、内部から趣や広告効果を呈現することができる。
【考案を実施するための最良の形態】
【０００７】
図２、及び、図３は、本案の全体構造を示す図で、プッシュ吸式キャップ（１）、二層容器（２）、及び、瓶、缶体（３）からなる。プッシュ吸式キャップ（１）は公知の素子であるが、異なる点は、プッシュ吸式キャップ（１）は内縁壁上に螺部（１１）を有し、瓶、缶体（３）と一体に螺合、或いは、結合することである。この他、プッシュ吸式キャップ（１）は内底縁で内螺部を延伸するか、或いは、チャンバヘッド素子（１０）の外縁に外螺部を有し、外層容器（２２）端と螺合し（この端は内螺部、或いは、外螺部の二種の構造形態である）、プッシュ吸式キャップ（１）は瓶、缶体（３）と二層容器（２）に同時に結合する。
【０００８】
図４で示されるように、瓶、缶体（３）内部の二層容器（２）は、その材料は軟質特性を有し、内層軟質容器（２１）と外層軟質容器（２２）からなる。外層軟質容器（２２）は、内螺部（２２１）と前述のプッシュ吸式キャップ（１）内縁から延伸した螺部、或いは、チャンバヘッド素子（１０）と螺合し、造型を有する容器形態を実施して、趣と広告性を増加する。外層軟質容器（２２）は内部中段位置の内縁環面（２２２）と内層軟質容器（２１）の開口環縁（２１１）と相互に一体に粘合され、内層（２１）と外層軟質容器（２２）両者で、展開後に構成される最大空間内部は流体、乳状体、液体等の内容物を充填し、プッシュ吸式キャップ（１）は内容物をプッシュ汲み取りできる。
【０００９】
図５で示されるように、二層容器（２）中の内層軟質容器（２１）は、開口を呈し、封底の袋体構造で、内層軟質容器（２１）の相関位置は外層軟質容器（２２）中段以下の位置の内縁を覆い、内部収容空間を定義する。プッシュ吸式キャップ（１）が内容物を不断に汲み取る時、二層容器（２）内部の真空環境により、容器（２）外部圧力を増加させて、薄い袋型内層軟質容器（２１）は内容物が全て出るまで次第に上移する。
【００１０】
本考案の瓶、缶体（３）は長きに渡る形態の制限を排除する以外に、二層容器（２）が交換でき充填できるという二大長所を有し、高価な瓶、缶体（３）の使用回数は無限である。また、二層容器（２）の外層軟質容器（２２）は造型と外観が多変であり、瓶、缶体は直接、内部から趣や広告効果を呈現することができる。
【図面の簡単な説明】
【００１１】
【図１】公知のプッシュ吸式ノズル、缶体の全体構造の断面図である。
【図２】本考案の好ましい実施例による立体外観図である。
【図３】本考案の全体構造の断面図である。
【図４】本考案の二層容器の好ましい実施例の外観局部断面図である。
【図５】本考案の内容物を汲み出し終わるまでの動作状態図である。
【符号の説明】
【００１２】
１        プッシュ吸式キャップ
１０      チャンバヘッド素子
１１      螺部
２        二層容器
２１      内層軟質容器
２１１    開口環縁
２２      外層軟質容器
２２１    内螺部
２２２    内縁環面
３        瓶、缶体
【図１】
0003128967.tif 000003
【図２】
0003128967.tif 000004
【図３】
0003128967.tif 000005
【図４】
0003128967.tif 000006
【図５】
0003128967.tif 000007